(57)【要約】    【課題】  ディスプレイを備え、携帯情報端末と通信可能な車載装置において、ディスプレイの表示輝度を適正値に自動的に調整することを可能とする。    【解決手段】  スマートホン１００において設定された表示画面の輝度値を示すスマホ輝度ＫＩＤＯＳが取得され、スマホ輝度ＫＩＤＯＳに基づいてディスプレイ４の輝度ＫＩＤＯＤが制御される。スマートホン１００において設定されたスマホ輝度ＫＩＤＯＳは、使用者にとって適正な値となっていると考えられるので、スマホ輝度ＫＩＤＯＳに基づいてディプレイ４の輝度ＫＩＤＯＳを制御することにより、使用者がディスプレイ４の表示輝度を予め設定する必要がなくなり、スマートホン１００を車内に持ち込むだけでディスプレイ４の輝度ＫＩＤＯＤを適正値に調整することができる。【選択図】  図２
2014098652.tif 000002
【特許請求の範囲】
【請求項１】
情報表示用の画面を備えるとともに該画面の輝度を変更可能な携帯情報端末と通信可能な車載装置であって、
前記携帯情報端末から受信した情報を含む画像情報を表示するディスプレイと、
前記携帯情報端末において設定された前記情報表示用画面の輝度情報を取得し、該取得輝度情報に基づいて前記ディスプレイの輝度値を制御する輝度値制御手段とを備えることを特徴とする車載装置。
【請求項２】
前記携帯情報端末の画面にカバーが装着されているか否かを問い合わせる画像を、前記ディスプレイに表示するカバー問い合わせ手段をさらに備え、
前記輝度値制御手段は、前記問い合わせに対する応答に応じて前記取得輝度情報を補正し、補正後の取得輝度情報に基づいて前記ディスプレイの輝度値を制御することを特徴とする請求項１に記載の車載装置。
【請求項３】
外部装置と通信可能な外部通信手段をさらに備え、
該外部通信手段または前記携帯情報端末は、現在地周辺の天気情報を入手可能であり、
前記輝度値制御手段は、前記外部通信手段または前記携帯情報端末から前記天気情報を取得し、前記天気情報に応じて前記取得輝度情報を補正し、補正後の取得輝度情報に基づいて前記ディスプレイの輝度値を制御することを特徴とする請求項１または２に記載の車載装置。
【請求項４】
前記携帯情報端末は、現在地周辺の地図情報を前記情報表示用画面に表示可能であり、
前記携帯情報端末から前記地図情報を取得して前記ディスプレイに表示する地図表示手段をさらに備え、該地図表示手段は、前記輝度値制御手段により制御された輝度値を用いて前記地図情報を表示することを特徴とする請求項１から３の何れか１項に記載の車載装置。
【請求項５】
車室内に複数の携帯情報端末が存在する場合に、前記情報表示用画面の輝度情報の取得を行うべき携帯情報端末を問い合わせる画像を前記ディスプレイに表示する端末問い合わせ手段をさらに備え、
前記輝度値制御手段は、前記端末問い合わせに対する応答に応じて前記輝度情報の取得を行うことを特徴とする請求項１から４の何れか１項に記載の車載装置。
【請求項６】
前記ディスプレイの輝度値を変更する操作を行うための車載操作部を有し、前記輝度値制御手段は、前記車載操作部により変更された輝度情報に基づいて、前記携帯情報端末の輝度情報を変更するための指令を前記携帯情報端末に送信することを特徴とする請求項１から５の何れか１項に記載の車載装置。
【発明の詳細な説明】
【技術分野】
【０００１】
本発明は、車両に搭載される車載装置に関し、特にスマートホンのような携帯情報端末との通信機能を有する車載装置に関する。
【背景技術】
【０００２】
特許文献１には、複数の言語に対応した地図情報表示及び音声案内を行うことができる多言語対応ナビゲーション装置が示されている。この装置によれば、携帯電話に設定されている使用言語が通信によって取得され、取得した使用言語に対応した地図情報表示及び音声案内が行われる。
【先行技術文献】
【特許文献】
【０００３】
【特許文献１】特開２００８−９６２８９号公報
【発明の概要】
【発明が解決しようとする課題】
【０００４】
ナビゲーション装置は地図を表示するためのディスプレイを備えているが、そのディスプレイの明るさ（表示輝度）については、適正と感じる値（適正値）は使用者によって個人差があり、またその適正値は周囲の明るさに依存して変化する。そのため、ディスプレイを備える車載装置を使用する際には、使用者がその都度輝度の調整を行う必要がある。
【０００５】
特許文献１に示された装置では、使用言語が携帯電話の設定言語と一致させる制御が行われるが、ディスプレイの輝度について、上記個人差や周囲の明るさを考慮した調整は行われない。
【０００６】
本発明は上述した点を考慮してなされたものであり、ディスプレイを備え、携帯情報端末と通信可能な車載装置であって、ディスプレイの表示輝度を適正値に自動的に調整することができる車載装置を提供することを目的とする。
【課題を解決するための手段】
【０００７】
上記目的を達成するため請求項１に記載の発明は、情報表示用の画面を備えるとともに該画面の輝度を変更可能な携帯情報端末（１００）と通信可能な車載装置であって、前記携帯情報端末（１００）から受信した情報を含む画像情報を表示するディスプレイ（４）と、前記携帯情報端末（１００）において設定された前記情報表示用画面の輝度情報（ＫＩＤＯＳ，ＬＳ）を取得し、該取得輝度情報（ＫＩＤＯＳ，ＬＳ）に基づいて前記ディスプレイの輝度値（ＫＩＤＯＤ）を制御する輝度値制御手段とを備えることを特徴とする。
【０００８】
請求項２に記載の発明は、請求項１に記載の車載装置において、前記携帯情報端末（１００）の画面にカバーが装着されているか否かを問い合わせる画像を、前記ディスプレイ（４）に表示するカバー問い合わせ手段をさらに備え、前記輝度値制御手段は、前記問い合わせに対する応答に応じて前記取得輝度情報（ＫＩＤＯＳ，ＬＳ）を補正し、補正後の取得輝度情報に基づいて前記ディスプレイの輝度値（ＫＩＤＯＤ）を制御することを特徴とする。
【０００９】
請求項３に記載の発明は、請求項１または２に記載の車載装置において、外部装置と通信可能な外部通信手段をさらに備え、該外部通信手段または前記携帯情報端末（１００）は、現在地周辺の天気情報を入手可能であり、前記輝度値制御手段は、前記外部通信手段または前記携帯情報端末（１００）から前記天気情報を取得し、前記天気情報に応じて前記取得輝度情報（ＫＩＤＯＳ，ＬＳ）を補正し、補正後の取得輝度情報に基づいて前記ディスプレイの輝度値（ＫＩＤＯＤ）を制御することを特徴とする。
【００１０】
請求項４に記載の発明は、請求項１から３の何れか１項に記載の車載装置において、前記携帯情報端末（１００）は、現在地周辺の地図情報を前記情報表示用画面に表示可能であり、前記携帯情報端末から前記地図情報を取得して前記ディスプレイ（４）に表示する地図表示手段をさらに備え、該地図表示手段は、前記輝度値制御手段により制御された輝度値（ＫＩＤＯＤ）を用いて前記地図情報を表示することを特徴とする。
【００１１】
請求項５に記載の発明は、請求項１から４の何れか１項に記載の車載装置において、車室内に複数の携帯情報端末（１００）が存在する場合に、前記情報表示用画面の輝度情報（ＫＩＤＯＳ，ＬＳ）の取得を行うべき携帯情報端末を問い合わせる画像を前記ディスプレイ（４）に表示する端末問い合わせ手段をさらに備え、前記輝度値制御手段は、前記端末問い合わせに対する応答に応じて前記輝度情報（ＫＩＤＯＳ，ＬＳ）の取得を行うことを特徴とする。
【００１２】
請求項６に記載の発明は、請求項１から５の何れか１項に記載の車載装置において、前記ディスプレイ（４）の輝度値を変更する操作を行うための車載操作部を有し、前記輝度値制御手段は、前記車載操作部により変更された輝度情報に基づいて、前記携帯情報端末（１００）の輝度情報を変更するための指令を前記携帯情報端末に送信することを特徴とする。
【発明の効果】
【００１３】
請求項１に記載の発明によれば、携帯情報端末において設定された、情報表示用画面の輝度情報が取得され、該取得輝度情報に基づいて車載装置のディスプレイの輝度値が制御される。携帯情報端末において設定された輝度値は、使用者にとって適正な値となっていると考えられるので、設定輝度値を含む取得輝度情報に基づいてディプレイ輝度値を制御することにより、使用者が車載ディスプレイの表示輝度を予め設定する必要がなくなり、携帯情報端末を車内に持ち込むだけでディスプレイの表示輝度を適正値に調整することができる。
【００１４】
請求項２に記載の発明によれば、携帯情報端末の画面にカバーが装着されているか否かを問い合わせる画像が、車載装置のディスプレイに表示され、その問い合わせに対する応答に応じて取得輝度情報が補正され、補正後の取得輝度情報に基づいてディスプレイの輝度値が制御される。カバーが装着されていると、携帯情報端末の設定輝度値がカバーが無いときに比べて高くなっていると考えられるので、カバーが装着されているときに補正を行うことによって、ディスプレイの表示輝度をカバーの有無にかかわらず適正値に制御することができる。
【００１５】
請求項３に記載の発明によれば、外部通信手段または携帯情報端末が入手した現在地周辺の天気情報が、車載装置に取得され、その天気情報に応じて取得輝度情報が補正され、補正後の取得輝度情報に基づいて車載装置のディスプレイ輝度値が制御される。したがって、天候に起因する周囲の明るさの影響を加味した適正な輝度値に調整することができる。
【００１６】
請求項４に記載の発明によれば、携帯情報端末が表示可能な現在地周辺の地図情報が取得され、車載装置のディスプレイに表示される。その際、表示輝度値は、取得輝度情報に基づいた値が適用されるので、使用者が携帯情報端末を車内に持ち込むだけで、地図情報を適正な輝度で表示することができる。
【００１７】
請求項５に記載の発明によれば、車室内に複数の携帯情報端末が存在する場合には、輝度情報の取得を行うべき携帯情報端末を問い合わせる画像が車載装置のディスプレイに表示され、その問い合わせに対する応答に応じて輝度情報の取得が行われるので、複数の携帯情報端末が車内に存在する場合には、使用者が選択した端末の設定輝度情報が取得され、車載ディスプレイの表示輝度を適正値に調整することが可能となる。
【００１８】
請求項６に記載の発明によれば、車載操作部により変更された輝度情報に基づいて、携帯情報端末の輝度情報を変更するための指令が携帯情報端末に送信されるので、携帯情報端末側で送信された指令に基づいて表示画面輝度の調整を行うことが可能となる。
【図面の簡単な説明】
【００１９】
【図１】本発明の一実施形態にかかる車両に搭載された車載装置の構成を示すブロック図である。
【図２】図１に示す出力制御部において実行されるディスプレイ輝度制御のフローチャートである。
【図３】車載装置のディスプレイに表示される問い合わせ画像の例を示す図である。
【図４】ディスプレイの輝度（ＫＩＤＯＤ）を算出するためのマップを示す図である。
【図５】図２に示すフローチャートの変形例を示すフローチャートである。
【図６】図５に示す処理を説明するための特性図である。
【図７】携帯情報端末の表示画面輝度を調整するための処理を示すフローチャートである。
【発明を実施するための形態】
【００２０】
以下本発明の実施の形態を図面を参照して説明する。
図１は本発明の一実施形態にかかる車両に搭載された車載装置の構成を示すブロック図である。この装置は、出力制御部１と、インタフェース部２と、オーディオ部３と、画像表示部（以下「ディスプレイ」という）４と、スピーカ５と、操作部６と、メータ７とを備えており、インタフェース部２を介して、近傍に存在するスマートホン１００との間で無線通信によりデータ伝送を行うことができる。
【００２１】
出力制御部１は、ディスプレイ４及びスピーカ５と接続されており、インタフェース部２を介して入力される情報（画像情報、音声情報、制御情報）及びオーディオ部３から入力される信号について、ディスプレイ４及び／またはスピーカ５への出力制御を行うとともに、ディスプレイ４の表示輝度（以下「ディスプレイ輝度」という）ＫＩＤＯＤの制御を行う。
【００２２】
インタフェース部２は、近距離無線通信（例えばブルートゥース, Wi-Fiなどの規格に基づく通信）により、近傍（主として車室内）に存在するスマートホン１００との間でデータ伝送を行う。
【００２３】
ディスプレイ４は液晶表示装置であり、スクリーンの表面に使用者のタッチ操作を検出するタッチパネルが装着されており、その検出信号は出力制御部１に供給される。操作部６は、使用者がタッチパネルを介した操作以外の操作を行うためのキー、スイッチなどを備えており、操作信号が出力制御部１に供給される。
【００２４】
オーディオ部３は、ラジオ及びＣＤプレーヤを備え、音声出力信号を出力制御部１に供給する。また操作部６またはディスプレイ４のタッチパネルからの操作入力に応じた制御信号が、出力制御部１からオーディオ部３へ供給される。
【００２５】
メータ７は、車速、走行距離、燃料量などの情報を表示するものであり、メータ７の表示輝度（以下「メータ輝度」という）ＫＩＤＯＭを調整するための輝度調整ノブ（図示せず）を備えている。輝度調整ノブによって設定されたメータ輝度ＫＩＤＯＭは、出力制御部１に供給される。
【００２６】
本実施形態では、車室内に持ち込まれたスマートホン１００と、出力制御部１との間で通信を行い、スマートホン１００の機種情報、及びスマートホン１００の情報表示画面の設定輝度（以下「スマホ輝度」という）ＫＩＤＯＳを取得し、機種情報及びスマホ輝度ＫＩＤＯＳに基づいてディスプレイ輝度ＫＩＤＯＤを制御する。またスマートホン１００は、ナビゲーション機能と、現在位置（スマートホン１００が存在する場所）における天気情報を入手する機能とを有する。
【００２７】
図２は、出力制御部１においてディスプレイ輝度ＫＩＤＯＤを制御する処理のフローチャートである。この処理は、車室内にスマートホン１００が持ち込まれたことを検出すると開始される。
【００２８】
ステップＳ１１では、車室内に存在するスマートホン１００を認識し、例えば図３（ａ）に示すような接続先選択画像をディスプレイ４に表示する。この図には２台のスマートホン１００が認識された例が示されており、使用者は表示されたボタンに何れかにタッチする。使用者が接続を希望する場合には、スマホ１またはスマホ２の何れか一方が選択されるので、選択されたスマートホン１００と接続する。「しない」が選択された場合には、何れのスマートホン１００とも接続しない。
【００２９】
ステップＳ１２では、スマートホン１００に接続したか否かを判別し、その答が肯定（ＹＥＳ）であるときは、スマートホン１００の機種情報ＩＭ、及びスマートホン１００で設定されているスマホ輝度ＫＩＤＯＳを取得する（ステップＳ１３）。ステップＳ１４では、取得した機種情報ＩＭに応じて下記のように機種パラメータγを設定する。
１）画面保護フィルムなし      γ＝０
２）画面保護フィルムあり      γ＝γ１（＜０）
【００３０】
本実施形態では、予め画面保護フィルムが装着されている機種のリスト（保護フィルム装着機種リスト）が出力制御部１のメモリに記憶されており、スマートホン１００が保護フィルム装着機種リストに含まれている機種であるときに画面保護フィルムありと判定される。
【００３１】
ステップＳ１５では、例えば図３（ｂ）に示すような画像をディスプレイ４に表示し、スマートホン１００の情報表示画面にカバーを装着しているか否かを問い合わせる。ステップＳ１６では、ステップＳ１５における問い合わせに対する応答、すなわち「カバーなし」、「ハードカバー」、または「フィルムカバー」の何れかに対応して、カバー装着パラメータαの設定を以下のように行う。ハードカバーは、光透過性を有する板状のカバーであり、フィルムカバーは光透過性を有するフィルム状のカバーである。
１）カバーなし        α＝０
２）フィルムカバー    α＝α１（＜０）
３）ハードカバー      α＝α２（＜α１）
【００３２】
ステップＳ１７では、スマートホン１００から現在地の天気情報を取得し、ステップＳ１８では、取得した天気情報に応じて天気パラメータβの設定を以下のように行う。
１）晴れ            β＝０
２）曇り            β＝β１（＜０）
３）雨              β＝β２（＜β１）
【００３３】
ステップＳ１９では、ディプレイ輝度ＫＩＤＯＤを算出し、ディスプレイ４の表示輝度に反映させる。具体的には、先ず下記式（１）にスマホ輝度ＫＩＤＯＳ、カバー装着パラメータα、天気パラメータβ、及び機種パラメータγを適用し、輝度調整ライン選択パラメータＳＬを算出する。
ＳＬ＝ＫＩＤＯＳ＋α＋β＋γ                （１）
【００３４】
式（１）により算出される輝度調整ライン選択パラメータＳＬは、スマートホン１００にカバーが装着されておらず、天気が晴れであるときは、スマホ輝度ＫＩＤＯＳと等しくなり、カバーが装着されているときは、カバー装着パラメータα（＜０）によってスマホ輝度ＫＩＤＯＳより小さな値に補正され、また天気が曇りまたは雨であるときは、天気パラメータβによってスマホ輝度ＫＩＤＯＳより小さな値に補正される。
【００３５】
次に輝度調整ライン選択パラメータＳＬに応じて図４に示す輝度調整ラインＬ０〜Ｌ８の何れか１つを選択し、選択した輝度調整ラインＬｉ（ｉ＝０〜８）を使用して、メータ輝度ＫＩＤＯＭに応じて、ディスプレイ輝度ＫＩＤＯＤを算出する。輝度調整ライン選択パラメータＳＬが増加するほど、ディスプレイ輝度ＫＩＤＯＤが大きくなるように輝度調整ラインＬｉが選択される。より具体的には、図４の縦軸において輝度調整ライン選択パラメータＳＬの値に対応する横線と、横軸のメータ輝度ＫＩＤＯＭに対応する縦線との交点に最も近い輝度調整ラインＬｉが選択される。例えば図４に示すように、輝度調整ラインＬ４が選択され、メータ輝度ＫＩＤＯＭが値Ｘ１であるとき、ディスプレイ輝度ＫＩＤＯＤは値Ｙ１に設定される。
【００３６】
ステップＳ２０では、終了フラグＦＥＮＤが「１」であるか否かを判別する。終了フラグＦＥＮＤは、例えば車両の電源スイッチがオフされたとき、あるいはスマートホン１００との通信が不能となったとき（スマートホン１００の電源がオフされたとき、スマートホン１００が近距離無線通信の通信可能範囲外へ移動したときなど）に「１」に設定される。
【００３７】
ステップＳ２０の答が否定（ＮＯ）であるときは、ステップＳ１７に戻る。終了フラグＦＥＮＤが「１」に設定されると処理を終了する。
ステップＳ１２の答が否定（ＮＯ）であるときは、通常制御を行う（ステップＳ２１）。すなわち、メータ輝度ＫＩＤＯＭに応じて例えば図４の輝度調整ラインＬ４を用いて、ディスプレイ輝度ＫＩＤＯＤを決定する。
【００３８】
以上のように本実施形態では、スマートホン１００において設定された表示画面の輝度値を示すスマホ輝度ＫＩＤＯＳが取得され、スマホ輝度ＫＩＤＯＳに基づいてディスプレイ４の輝度ＫＩＤＯＤが制御される。スマートホン１００において設定されたスマホ輝度ＫＩＤＯＳは、使用者にとって適正な値となっていると考えられるので、スマホ輝度ＫＩＤＯＳに基づいてディプレイ輝度ＫＩＤＯＤを制御することにより、使用者がディスプレイ４の表示輝度を予め設定する必要がなくなり、スマートホン１００を車内に持ち込むだけでディスプレイ輝度ＫＩＤＯＤを適正値に調整することができる。
【００３９】
またスマートホン１００の表示画面にカバーが取り付けられているか否かを問い合わせる画像（図３（ａ））がディスプレイ４に表示され、その問い合わせに対する応答に応じてカバー装着パラメータαが算出され、式（１）を用いてカバー装着パラメータαによりスマホ輝度ＫＩＤＯＳを補正することによりディスプレイ輝度ＫＩＤＯＤが算出される。スマートホン１００の画面にカバーが取り付けられていると、スマホ輝度ＫＩＤＯＳがカバーが無いときに比べて高くなっていると考えられるので、カバーが取り付けられているときにスマホ輝度ＫＩＤＯＳを減少方向に補正してディスプレイ輝度ＫＩＤＯＤを算出することにより、カバーの有無にかかわらずディスプレイ輝度ＫＩＤＯＤを適正値に制御することができる。
【００４０】
またスマートホン１００が入手した天気情報が車載装置の出力制御部１に取得され、その天気情報に応じて天気パラメータβが算出され、式（１）を用いて天気パラメータβによりスマホ輝度ＫＩＤＯＳを補正することにより、ディスプレイ輝度ＫＩＤＯＤが算出される。したがって、ディスプレイ輝度ＫＩＤＯＤを、天候に起因する周囲の明るさの影響を加味した適正な輝度値に調整することができる。
【００４１】
また上述したようにディスプレイ輝度ＫＩＤＯＤが調整されるので、スマートホン１００から現在地周辺の地図情報を取得し、ディスプレイ４に表示する際に、使用者がスマートホン１００を車内に持ち込むだけで、地図情報を適正な輝度で表示することができる。
【００４２】
また車室内に複数のスマートホン１００が存在する場合には、スマホ輝度ＫＩＤＯＳの取得を行うべきスマートホンを問い合わせる画像がディスプレイ４に表示され、その問い合わせに対する応答で指定されたスマートホンのスマホ輝度ＫＩＤＯＳが取得されるので、複数のスマートホン１００が車内に存在する場合には、使用者が選択したスマートホンのスマホ輝度ＫＩＤＯＳが取得され、ディスプレイ輝度ＫＩＤＯＤを適正値に調整することが可能となる。
【００４３】
本実施形態では、スマートホン１００が携帯情報端末に相当し、車載装置の出力制御部１及びインタフェース部２が輝度値制御手段、カバー問い合わせ手段、地図表示手段、及び端末問い合わせ手段を構成する。
【００４４】
［変形例１］
図２に示す処理は、図５に示すように変形してもよい。この処理は、ステップＳ１３及びＳ１９をそれぞれステップＳ１３ａ及びＳ１９ａに変更したものである。
ステップＳ１３ａでは、スマートホン１００の表示画面の輝度情報として、スマホ輝度ＫＩＤＯＳだけでなく、図６（ａ）に示すようなスマホ輝度調整ラインＬＳを取得する。図６（ａ）に示すグラフの横軸は、スマートホン１００における輝度操作量ＭＳであり、輝度操作量ＭＳを最小値ＭＳＭＩＮから最大値ＭＳＭＡＸまで変化させることに対応して、スマホ輝度ＫＩＤＯＳが最小値ＭＩＮＳから最大値ＭＡＸＳまで変化することを示している。また輝度操作量ＭＳが現在値ＭＳＰであるときの輝度値が、ステップＳ１３ａにおいて取得するスマホ輝度値ＫＩＤＯＳに相当する。
【００４５】
ステップＳ１９ａでは、下記式（１ａ）によってディスプレイ輝度ＫＩＤＯＤを算出するとともに、カバー装着パラメータα、天気パラメータβ、及び機種パラメータγの和（α＋β＋γ）に相当する値だけスマホ輝度調整ラインＬＳをオフセットすることにより、図６（ｂ）に示すように、メータ輝度調整ラインＬＭを生成してメモリに記憶する。図６（ｂ）に示すグラフの横軸は、メータ７の輝度調整ノブの操作量ＭＭである。
ＫＩＤＯＤ＝ＫＩＤＯＳ＋α＋β＋γ            （１ａ）
【００４６】
この変形例では、輝度調整ノブは回転自在の回転ノブ（３６０度より大きい任意の角度回転可能なノブ）であり、その時点の操作量ＭＭの値ＭＭＰを式（１ａ）によって算出されたディスプレイ輝度ＫＩＤＯＤに割り当てる。これにより、操作量ＭＭを最小値ＭＭＭＩＮから最大値ＭＭＭＡＸの間で変化させたときに、スマートホン１００から取得した輝度情報に対応する輝度補正が行われた状態で、最小値ＭＩＮＭから最大値ＭＡＸＭの範囲で輝度調整を行うことが可能となる。したがって、スマートホン１００を車内に持ち込むだけでディスプレイ４の表示輝度を適正値に調整することができる。
【００４７】
［変形例２］
第１の実施形態にさらに図７に示す処理を追加し、車載装置側からスマートホン１００の表示画面の輝度調整を行うようにしてもよい。図７に示す処理は、出力制御部１においてスマートホン１００と接続している状態で実行される。
【００４８】
ステップＳ３１では、メータ７の輝度調整ノブが操作されたか否かを判別し、操作されるとステップＳ３２に進む。ステップＳ３２では、メータ輝度ＫＩＤＯＭに応じて、使用中の輝度調整ラインＬｉを用いて、ディスプレイ輝度ＫＩＤＯＤを算出する。
【００４９】
ステップＳ３３では、ステップＳ３２に算出したディスプレイ輝度ＫＩＤＯＤを下記式（２）に適用し、修正スマホ輝度ＫＩＤＯＳ’を算出する。式（２）により算出される修正スマホ輝度ＫＩＤＯＳ’は、輝度調整ノブの調整後の操作量及び天気パラメータβの値が反映された輝度値に相当する。
ＫＩＤＯＳ’＝ＫＩＤＯＳ−α−γ              （２）
【００５０】
ステップＳ３４では、スマートホン１００の表示画面輝度を、修正スマホ輝度ＫＩＤＯＳ’に調整する輝度調整信号を、インタフェース部２を介してスマートホン１００に送出する。スマートホン１００には車載装置との連携用ソフトウエアがインストールされており、この連携用ソフトウエアは、輝度調整信号を受信すると、修正スマホ輝度ＫＩＤＯＳ’を表示画面輝度に反映させるとともに、スマートホン１００における輝度操作量ＭＳを、スマートホン１００で使用している輝度調整ラインＬＳにおいて修正スマホ輝度ＫＩＤＯＳ’に対応する操作量に修正する処理を実行する。
【００５１】
本変形例によれば、車載装置側でメータ７の輝度調整が行われると、その調整後の輝度設定をスマートホン１００の表示画面輝度にも反映させることが可能となる。
【００５２】
なお本発明は上述した実施形態に限るものではなく、種々の変形が可能である。例えば、携帯情報端末は、スマートホンに限るものではなく、タブレット型パーソナルコンピュータや携帯型ナビゲーション装置などであってもよい。
【００５３】
また車両のインタフェース部２を介してインターネット上の天気情報サーバに接続可能である場合には、出力制御部１がインタフェース部２を介して車両の現在地周辺の天気情報を直接（スマートホン１００を介さずに）取得するようにしてもよい。
また上述した実施形態では、車載装置は、スマートホン１００と無線通信によりデータ伝送を行うようにしたが、コネクタを介した有線通信によりデータ伝送を行うようにしてもよい。
【符号の説明】
【００５４】
１  出力制御部（輝度値制御手段、カバー問い合わせ手段、地図表示手段、端末問い合わせ手段）
２  インタフェース部（輝度値制御手段、カバー問い合わせ手段、地図表示手段、端末問い合わせ手段、外部通信手段）
４  ディスプレイ
６  操作部
７  メータ
１００  スマートホン
【図１】
2014098652.tif 000003
【図２】
2014098652.tif 000004
【図３】
2014098652.tif 000005
【図４】
2014098652.tif 000006
【図５】
2014098652.tif 000007
【図６】
2014098652.tif 000008
【図７】
2014098652.tif 000009
【手続補正書】
【提出日】平成24年11月16日(2012.11.16)
【手続補正２】
【補正対象書類名】明細書
【補正対象項目名】００３５
【補正方法】変更
【補正の内容】
【００３５】
次に輝度調整ライン選択パラメータＳＬに応じて図４に示す輝度調整ラインＬ０〜Ｌ８の何れか１つを選択し、選択した輝度調整ラインＬｉ（ｉ＝０〜８）を使用して、メータ輝度ＫＩＤＯＭに応じて、ディスプレイ輝度ＫＩＤＯＤを算出する。輝度調整ライン選択パラメータＳＬが増加するほど、ディスプレイ輝度ＫＩＤＯＤが大きくなるように輝度調整ラインＬｉが選択される。より具体的には、図４の縦軸における輝度調整ライン選択パラメータＳＬの値と、横軸のメータ輝度ＫＩＤＯＭとに対応する座標点に最も近い輝度調整ラインＬｉが選択される。例えば図４に示すように、輝度調整ラインＬ４が選択され、メータ輝度ＫＩＤＯＭが値Ｘ１であるとき、ディスプレイ輝度ＫＩＤＯＤは値Ｙ１に設定される。